(57)【要約】【課題】  １度の操作で、所定数の錠剤を吐出させる定量吐出操作と連続的に錠剤を吐出させる連続吐出操作との使い分けができる錠剤容器を創出することを課題とする。【解決手段】  ケース体１０と、ケース体１０内に前後方向にスライド可能に設けられて錠剤Ｐを収容する収容体２０と、を有して構成された錠剤容器であって、収容体２０は、錠剤Ｐを吐出させる取出し口３４が形成された突設部３３を備えた第１移動体３０と、側壁に内方に突出する制御凸部４６ａを備えた第２移動体４０とが、前後方向に相対的にスライド可能に組み付けられており、ケース体１０には、第１移動体３０又は収容体２０の前後方向への移動に応じ、制御凸部４６ａと協働して収容体２０の内部と取出し口３４との間に設けられる移動通路の道幅を拡幅又は狭幅せしめて錠剤Ｐの移動を制御する制御板１５が設けられた構成とする。【選択図】  図４
2020164198.tif 000002
【特許請求の範囲】
【請求項１】
ケース体（１０）と、該ケース体（１０）内に前後方向にスライド可能に設けられて錠剤（Ｐ）を収容する収容体（２０）と、を有して構成された錠剤容器であって、
前記収容体（２０）は、前記錠剤（Ｐ）を吐出させる取出し口（３４）が形成された突設部（３３）を備えた第１移動体（３０）と、側壁に内方に突出する制御凸部（４６ａ）を備えた第２移動体（４０）とが、前後方向に相対的にスライド可能に組み付けられており、
前記ケース体（１０）には、前記第１移動体（３０）又は前記収容体（２０）の前後方向への移動に応じ、前記制御凸部（４６ａ）と協働して前記収容体（２０）の内部と前記取出し口（３４）との間に設けられる移動通路（Ｗ）の道幅を拡幅又は狭幅せしめて錠剤（Ｐ）の移動を制御する制御板（１５）が設けられていることを特徴とする錠剤容器。
【請求項２】
第１移動体（３０）に、第１移動体（３０）のみを移動させる連続操作部（３６）が形成されている請求項１記載の錠剤容器
【請求項３】
第２移動体（４０）に、第１移動体（３０）と第２移動体（４０）とが組み付けられて一体化した状態にある収容体（２０）を移動させる定量操作部（４４）が形成されている請求項１又は２記載の錠剤容器。
【請求項４】
連続操作部（３６）を第１移動体（３０）の突設部（３３）の側面に設け、ケース体（１０）に形成された第１開口部（１３）内に配置した請求項２記載の錠剤容器。
【請求項５】
第２移動体（４０）の側面に定量操作部（４４）を設けると共に、該定量操作部（４４）をケース体（１０）に形成された第３開口部（１７）に配置した請求項３記載の錠剤容器。
【請求項６】
互いに対向配置されたケース体（１０）の下側壁（１２Ｂ）と第２移動体（４０）の側壁（４２）との一方にストッパ突起（１６）を形成し、他方に係合凹部（４５）を形成した請求項１乃至５のいずれか一項に記載の錠剤容器。
【発明の詳細な説明】
【技術分野】
【０００１】
本発明は、携行用の錠剤容器に関する。
【背景技術】
【０００２】
携行用の錠剤容器の先行技術としては、例えば以下の特許文献１に記載の発明では、容器体１１がケース本体１に嵌合状態においては進退自在に配置されており、図３の状態から滑り止め突条１６に指掛けして、図５に示される容器体前壁１３ａがケース体前壁２ａへ接するまで容器体１１を前進させ、振出し口付き突設部１５を開口５から突出させる操作を行うことで、錠剤等を振出し口付き突設部１５上面の振出し口から吐出するというものである。
【先行技術文献】
【特許文献】
【０００３】
【特許文献１】特開２００５−１７８９０２号公報
【発明の概要】
【発明が解決しようとする課題】
【０００４】
しかし、特許文献１に記載の発明では、１度の操作で錠剤が連続して吐出される連続吐出の機能（第１実施形態）と、１度の操作で所定数の錠剤を吐出する定量吐出の機能（第２実施形態）とは別々の構成であることから、いずれか一方を採用する場合には他方を採用することができないという問題があった。
【０００５】
本発明は、上記した従来技術における問題点を解消すべく、１度の操作で、所定数の錠剤を吐出させる定量吐出の機能と連続的に錠剤を吐出させる連続吐出の機能とを合わせ持つ錠剤容器を創出することを課題とする。
【課題を解決するための手段】
【０００６】
上記課題を解決するための手段のうち、本発明の主たる手段は、
ケース体と、ケース体内に前後方向にスライド可能に設けられて錠剤を収容する収容体と、を有して構成された錠剤容器であって、
収容体は、錠剤を吐出させる取出し口が形成された突設部を備えた第１移動体と、側壁に内方に突出する制御凸部を備えた第２移動体とが、前後方向に相対的にスライド可能に組み付けられており、ケース体には、第１移動体又は収容体の前後方向への移動に応じ、制御凸部と協働して収容体の内部と取出し口との間に設けられる移動通路の道幅を拡幅又は狭幅せしめて錠剤の移動を制御する制御板が設けられていることを特徴とする、と云うものである。
本発明の主たる手段では、第１移動体又は収容体を移動させ、制御板と制御凸部との間に設けられる移動通路の道幅を変更させて錠剤の移動を制御することにより、定量吐出と連続吐出の機能を合わせ持つ錠剤容器とすることができる。
【０００７】
また本発明の他の手段は、本発明の主たる手段に、第１移動体に、第１移動体のみを移動させる連続操作部が形成されている、との手段を加えたものである。
上記手段では、連続操作部に与えた操作力で第１移動体を移動させて取出し口を前方に突出させることができる一方で、他方では第２移動体は移動しないため、ケース体と第２移動体との前後方向における相対位置関係を操作前の初期状態、すなわち移動通路の道幅を拡幅の状態に維持することができることから連続吐出を達成し得る。
【０００８】
また本発明の他の手段は、上記いずれかの手段に、第２移動体に、第１移動体と第２移動体とが組み付けられて一体化した状態にある収容体を移動させる定量操作部が形成されている、との手段を加えたものである。
上記手段では、定量操作部を操作することにより、第１移動体と第２移動体とが組み付けられて一体化した状態にある収容体を移動させることが可能となるため、取出し口を前方に突出させることができると共に、移動通路の道幅を狭幅状態に変更することができることから定量吐出を達成し得る。
【０００９】
また本発明の他の手段は、上記の手段に、連続操作部を第１移動体の突設部の側面に設け、ケース体に形成された第１開口部内に配置した、との手段を加えたものである。
上記手段では、ケース体に設けられた第１開口部を介して連続操作部の操作を行うことを達成し得る。
【００１０】
また本発明の他の手段は、上記の手段に、第２移動体の側面に定量操作部を設けると共に、定量操作部をケース体に形成された第３開口部に配置した、との手段を加えたものである。
上記手段では、ケース体に設けられた第３開口部を介して定量操作部の操作を行うことを達成し得る。
【００１１】
また本発明の他の手段は、上記いずれかの手段に、互いに対向配置されたケース体の下側壁と第２移動体の側壁との一方にストッパ突起を形成し、他方に係合凹部を形成した、との手段を加えたものである。
上記手段では、第２移動体を拘束してその移動を禁止することを可能とすることにより、移動通路の道幅を制御することが可能となる。
【発明の効果】
【００１２】
本発明の錠剤容器では、定量操作部を操作することにより所定数の錠剤を吐出させる定量吐出を行うことができ、また連続操作部を操作することにより錠剤を連続的に吐出させる連続吐出を行うことができる。
【図面の簡単な説明】
【００１３】
【図１】本発明の実施例としての錠剤容器の平断面図である。
【図２】Ａはケース体を示す平断面図、Ｂは収容体を示す平断面図である。
【図３】初期状態を示す錠剤容器の平断面図である。
【図４】定量吐出操作時を示す錠剤容器の平断面図である。
【図５】連続吐出操作時を示す錠剤容器の平断面図である。
【発明を実施するための形態】
【００１４】
以下、本発明の実施の形態について図面を参照しつつ説明する。
図１は本発明の実施例としての錠剤容器の平断面図、図２のＡはケース体を示す平断面図、図２のＢは収容体を示す平断面図、図３は初期状態を示す錠剤容器の平断面図、図４は定量吐出操作時を示す錠剤容器の平断面図、図５は連続吐出操作時を示す錠剤容器の平断面図である。
尚、以下においては、図示左方を前方、図示右方を後方とし、前方と後方と間を直線的に結ぶ前後方向に対して水平且つ上下に直交する方向を幅方向とし、また前後方向及び幅方向の双方に直交する方向を厚み方向として説明する。また錠剤Ｐとしては薬剤やサプリメントなどであり、その形状としては球状又は球体を押し潰した偏平円状の場合を示して説明する。
【００１５】
図１乃至２に示すように、本発明の錠剤容器は、ケース体１０と、このケース体１０の内部に配置されて、前後方向にスライド可能に配置される収容体２０とを有して構成され、これらはすべて合成樹脂材料を用いて射出成形されることにより形成されている。
図２のＡに示すように、ケース体１０は、厚み方向に対向して配置された一対の頂板部（図示せず）及び底板部１１と、幅方向の両端に設けられた上側壁１２Ａ及び下側壁１２Ｂと、更に前方の位置に設けられた前壁部１２Ｃとを有して一体に形成されている。
【００１６】
前壁部１２Ｃと前方の下側壁１２Ｂとの間の角部には略Ｌ字状に開口する第１開口部１３が形成され、後方の位置にはケース体１０を全面的に開放する第２開口部１４が形成されている。また第１開口部１３の近傍で且つ前壁部１２Ｃの内壁には、後方に向かって突出する制御板１５が設けられている。
また幅方向下側に設けられた下側壁１２Ｂの前方寄りの内壁には内方（又は上方ともいう）に突出するストッパ突起１６が突設され、下側壁１２Ｂのやや後方寄りの位置には第３開口部１７が形成されている。
【００１７】
図２のＢに示すように、収容体２０は、第１移動体３０と第２移動体４０を有して構成され、両者は互いに前後方向にスライド可能な状態で連結されている。
第１移動体３０は、平面視略長方形状に形成された底板３１と、底板３１の周囲に沿って部分的に形成された側壁３２とを有して形成されている。幅方向の一方の側壁３２である上側側壁３２Ａの後方の端部には、外側に突出するガイド壁３２Ａ１が形成され、上側側壁３２Ａとガイド壁３２Ａ１との境目には傾斜状に形成されて成る被当接部３２Ａ２が設けられている。また幅方向の他方の側壁３２である下側側壁３２Ｂは、前方寄りの位置のみに形成されており、その他の部分は開放されている。
【００１８】
更に底板３１の前方の位置には前壁３２Ｃが設けられると共に、下側側壁３２Ｂ近傍の位置には、前壁３２Ｃから前方向に突出する突設部３３が形成されている。この突設部３３には、後方を除く３方（前方、上方及び下方）の周囲が側壁で囲まれることにより厚み方向に凹状に形成されて成る取出し口３４が形成されている。尚、錠剤やサプリメントなどから成る内容物Ｐは、この取出し口３４から外部に吐出されることになる。
【００１９】
前壁３２Ｃと取出し口３４を形成する上側の側壁３４Ａとが交差する部分（破線部分）には、平面視略Ｌ字状に開口形成され、錠剤Ｐの移動及び制御板１５の通過を許容する開口３５が形成されている。また突設部３３の下側の側面には連続操作部３６が突設されている。尚、連続操作部３６の表面には滑り止め用のローレット３６ａが刻設されている。
【００２０】
第２移動体４０は、第１移動体３０の内側に収まる大きさで形成される底板４１を有して平面視略長方形状で形成され、幅方向に上側の後方寄り位置のみに配置された上側壁部４２Ａと、幅方向の下側の位置に配置された下側壁部４２Ｂと、後方の位置に配置された後壁４２Ｄとから成る側壁４２を有して一体に形成されている。
上側壁部４２Ａの前方には傾斜状に形成されてなる当接部４２Ａ１が形成され、当接部４２Ａ１よりも前方には側壁は形成されておらず、更に底板４１の前方の位置にも側壁を有さない構成である。
下側壁部４２Ｂの後方寄りの位置には定量操作部４４が突設されており、この定量操作部４４の表面にも滑り止め用のローレット４４ａが刻設されている。
また下側壁部４２Ｂの外面には、ケース体１０に設けられたストッパ突起１６と係合する係合凹部４５が形成され、更に下側壁部４２Ｂの内面には一体に連設させて成る薄肉状の内側壁４６が設けられ、この内側壁４６には内方に突出する制御凸部４６ａが形成されている。
【００２１】
定量操作部４４及び係合凹部４５が形成された下側壁部４２Ｂは、薄い肉厚で形成されており、内方への力を受けると弾性変形することが可能となっている。尚、底板４１上の定量操作部４４の近傍の位置には、定量操作部４４の弾性変形を容易とするための開口部４１ａが形成されている。
【００２２】
また底板４１の中央には、前後方向に沿って開口する長穴４７が形成されており、この長穴４７には第１移動体３０の底板３１に立設されたガイドピン３７が挿通されている。ガイドピン３７は、長穴４７内を前後方向に移動することが許容されており、この状態で互いに組み付けられた第１移動体３０と第２移動体４０とは前後方向に相対的にスライド移動することが可能となっている。
【００２３】
図２のＢに示す収容体２０は、第２移動体４０が第１移動体３０内に完全に収まる形で組み付いた状態であり、ガイドピン３７が長穴４７の後方側の端部に当接すると共に、第２移動体４０側の当接部４２Ａ１が第１移動体３０側の被当接部３２Ａ２に当接し、且つ第２移動体４０側の下側壁部４２Ｂの前端が、突設部３３の連続操作部３６の後方に設けられた段部３８に当接し、更に第２移動体４０側の底板４１の前端が、第１移動体３０側の前壁３２Ｃに当接した状態にある。そして、第１移動体３０側の側壁３２と第２移動体側の側壁４２とで囲まれた領域の内側が錠剤Ｐを収納する収納部Ｑとなっている。
【００２４】
第２移動体４０が第１移動体３０内に完全に収まった収容体２０は、突設部３３をケース体１０の後方に設けられた第２開口部１４から図２のＡに示す白抜き矢印の方向（前方向）に向けて挿入することにより、ケース体１０内に装着される（図１参照）。この際、定量操作部４４は、内方への力を受け、下側壁部４２Ｂが弾性変形した状態で後方の下側壁１２Ｂを前方に乗り越えることで第３開口部１７内に配置されることになる。
【００２５】
図１に示すように、収容体２０がケース体１０内に完全に装着された状態では、第２移動体４０に設けられた係合凹部４５とケース体１０側に設けられたストッパ突起１６とが係合し、収容体２０は拘束されてケース体１０内を前後方向へ移動することができない閉状態に設定される。よって、一度収容体２０をケース体１０に収納すると、収容体２０の収納部Ｑが露出される開状態に容易に移行することがない。
【００２６】
また突設部３３の前面はケース体１０の前壁部１２Ｃと略同一面に設定され、制御板１５は開口３５から離れた前方の位置に退避しており、錠剤Ｐは収納部Ｑと取出し口３４の間を、制御板１５と制御凸部４６ａとが対向する部分に設けられる移動通路Ｗを介して自由に移動可能な状態にある。尚、移動通路Ｗの道幅は錠剤Ｐの直径よりも拡幅させた寸法で形成されている。
【００２７】
錠剤Ｐのケース体１０内への充填は、収納部Ｑに錠剤Ｐを充填した収容体２０を、第２開口部１４から図２のＡに示す白抜き矢印の方向（前方向）に向けて挿入すればよい。
【００２８】
次に、錠剤を吐出させる操作方法について説明する
（１）定量吐出操作
定量吐出操作は、図３に示す初期態において、指掛けした定量操作部４４を前方にスライドさせることにより行う。
まず定量吐出操作を行う前に、ケース体１０を傾け、所定の定量数（本実施例では１個）の錠剤Ｐを収納部Ｑから取出し口３４内に移動させておく。
【００２９】
次に、図４示すように、定量操作部４４を前方にスライドさせる。すると、定量操作部４４が設けられた第２移動体４０が前方に移動するが、この際には例えば第２移動体４０側の当接部４２Ａ１が第１移動体３０側の被当接部３２Ａ２を前方に押圧し、且つ第２移動体４０側の底板４１の前端が第１移動体３０側の前壁３２Ｃを前方に押圧するため、第２移動体４０に設けられた係合凹部４５とケース体１０側に設けられたストッパ突起１６との係合が解除される。そして、第１移動体３０と第２移動体４０とは一体化した収容体２０として前方に移動し、第１移動体３０に設けられた突設部３３を第１開口部１３からケース体１０の前方の位置に突出させることができる。よって、突設部３３の取出し口３４内に保持されている所定の定量数の錠剤Ｐを吐出させることが可能となる。
【００３０】
尚、収容体２０が移動する際には、第１移動体３０のガイド壁３２Ａ１がケース体１０の上側壁１２Ａの内面を摺動し、且つ第２移動体４０の下側壁部４２Ｂがケース体１０の下側壁１２Ｂの内面を摺動する。よって、収容体２０を前後方向に沿って直線的に移動させることができる。
【００３１】
またこの定量操作では、収容体２０側の開口３５内に、ケース体１０側の制御板１５が進入すると共に制御板１５が制御凸部４６ａに対向し、協働してこの間の移動通路Ｗの道幅を錠剤Ｐの直径未満に狭幅せしめるため、収納部Ｑと取出し口３４の間における錠剤Ｐの移動が禁止される。よって、所定の定量数を超える数の錠剤Ｐが吐出することがない。
【００３２】
（２）連続吐出操作
連続吐出操作は、図３に示す初期状態において、指掛けした連続操作部３６を前方にスライドさせることにより行う。
【００３３】
図５に示すように、連続操作部３６を前方にスライドさせると、連続操作部３６が設けられた第１移動体３０のみを前方に移動させることができる。すなわち、第２移動体４０に設けられた係合凹部４５とケース体１０側に設けられたストッパ突起１６との係合は解除されないため、第２移動体４０はその場に留まることになる。
【００３４】
そして、第１移動体３０のみが前方に移動した状態では、ケース体１０側の制御板１５と移動しない第２移動体４０に設けられた制御凸部４６ａとの前後方向における相対的な位置関係は図３の初期状態と同じである。すなわち、制御板１５と制御凸部４６ａとが対向する部分に設けられる移動通路Ｗの道幅は錠剤Ｐの直径よりも拡幅する寸法に設定されている、よって、錠剤Ｐは収納部Ｑと取出し口３４の間を、移動通路Ｗを介して自由に移動することが可能であるため、錠剤Ｐを連続的に吐出させることができる。
【００３５】
尚、第１移動体３０が移動する際には、第１移動体３０のガイド壁３２Ａ１がケース体１０の上側壁１２Ａの内面を摺動し、且つ第１移動体３０のガイドピン３７が第２移動体４０の長穴４７内を移動する。よって、第１移動体３０を前後方向に沿って直線的に移動させることができる。
【００３６】
以上の説明から分かるように、定量操作部４４を操作することで錠剤Ｐを所定の定量数だけ吐出させることができ、また連続操作部３６を操作することで錠剤Ｐを連続して吐出させることができる。
【００３７】
以上、実施例に沿って本発明の構成とその作用効果について説明したが、本発明の実施の形態は上記実施例に限定されるものではない。
【００３８】
例えば、上記実施例では、所定の定量数の例として、取出し口３４に収容可能な錠剤Ｐの個数が１個の場合を示して説明したが、本発明は上記実施例に限定されるものではなく、取出し口３４に収容可能な錠剤Ｐの個数は複数であっても良い。
【００３９】
また上記実施例では錠剤Ｐの形状として、球状又は球体を押し潰した偏平円状の場合を示して説明したが、カプセル状などその他の形状であってもよい。
【００４０】
また錠剤Ｐの例として薬剤やサプリメントを示して説明したが、例えば飴、ドロップ、その他の固形食品などであっても良いし、またこれらに限られるものではない。
【００４１】
また上記実施例では、ストッパ突起１６をケース体１０の下側壁１２Ｂに設け、係合凹部４５を第２移動体４０の下側壁部４２Ｂに設けた場合を示して説明したが、上記実施例に限定されるものではなく、ストッパ突起１６を第２移動体４０の下側壁部４２Ｂに設け、係合凹部４５をケース体１０の下側壁１２Ｂに設けた構成であっても良い。
【産業上の利用可能性】
【００４２】
本発明は、所望数の錠剤を吐出させる携行用の錠剤容器の分野における用途展開を更に広い領域で図ることができる。
【符号の説明】
【００４３】
１０    ：  ケース体
１１    ：  底板部
１２Ａ  ：  上側壁
１２Ｂ  ：  下側壁
１２Ｃ  ：  前壁部
１３    ：  第１開口部
１４    ：  第２開口部
１５    ：  制御板
１６    ：  ストッパ突起
１７    ：  第３開口部
２０    ：  収容体
３０    ：  第１移動体
３１    ：  底板
３２    ：  第１移動体の側壁
３２Ａ  ：  上側側壁
３２Ｂ  ：  下側側壁
３２Ｃ  ：  前壁
３２Ａ１：  ガイド壁
３２Ａ２：  被当接部
３３    ：  突設部
３４    ：  取出し口
３４Ａ  ：  取出し口の側壁
３５    ：  開口
３６    ：  連続操作部
３６ａ  ：  ローレット
３７    ：  ガイドピン
３８    ：  段部
４０    ：  第２移動体
４１    ：  底板
４１ａ  ：  開口部
４２    ：  第２移動体の側壁
４２Ａ  ：  上側壁部
４２Ａ１：  当接部
４２Ｂ  ：  下側壁部
４２Ｄ  ：  後壁
４４    ：  定量操作部
４４ａ  ：  ローレット
４５    ：  係合凹部
４６    ：  内側壁
４６ａ  ：  制御凸部
４７    ：  長穴
Ｐ      ：  錠剤
Ｑ      ：  収納部
Ｗ      ：  移動通路
【図１】
2020164198.tif 000003
【図２】
2020164198.tif 000004
【図３】
2020164198.tif 000005
【図４】
2020164198.tif 000006
【図５】
2020164198.tif 000007